(57)【要約】【課題】勃起不全及び／又は尿失禁の治療に好適である刺激治療装置を提供する。【解決手段】刺激治療装置は、遠位端部が閉鎖され且つ真空室を画定する細長い容器を含み、容器は、空気抜き通路を通して室から空気を抜き取るためにポンプを容器に接続できるように、真空室と流体連通する空気抜き通路を含む。陰茎通路部材は、容器の近位端部に配置され、陰茎通路部材は、陰茎が貫通して真空室内に延びることができる陰茎通路を画定し、通路部材は、略密封された状態で陰茎に係合するように構成される。内部スライダ及び外部スライダは、外部スライダの往復操作によって内部スライダの対応する往復摺動が生じるように、互いに磁気的に引き寄せられ、陰茎が刺激されることを可能する。【選択図】図２
2021524780.tif 000002
【特許請求の範囲】
【請求項１】
刺激治療装置であって、
遠位端部が閉鎖され且つ真空室を画定する細長い容器であって、空気抜き通路を通して前記室から空気を抜き取るためにポンプを前記容器に接続できるように前記真空室と流体連通する前記空気抜き通路を含む前記容器と、
前記容器の近位端部に配置された陰茎通路部材であって、陰茎が貫通して前記真空室内に延びることができる陰茎通路を画定し、略密封された状態で陰茎に係合するように構成される前記陰茎通路部材と、
前記容器の内側面に配置され且つ前記容器内を往復摺動するように構成された内部スライダであって、前記陰茎が貫通して延びることができる開口部を画定し、且つ前記内部スライダの往復移動中に前記陰茎を刺激するために前記陰茎に接触するように構成される前記内部スライダと、
前記容器の外側面に配置され且つ前記容器の外側に沿って摺動往復移動することが可能な外部スライダと、
を備え、
前記内部スライダ及び前記外部スライダは、前記外部スライダの前記往復操作によって前記内部スライダの対応する往復摺動が生じるように、互いに磁気的に引き寄せられ、前記陰茎が刺激されることを可能する、
刺激治療装置。
【請求項２】
前記細長い容器は、両端部が開口している管と、遠位端部を閉鎖するために前記管の前記遠位端部に着脱可能に装着される蓋とを含む、請求項１に記載の装置。
【請求項３】
前記蓋が、シリコーンなどのエラストマー材料で作られ、且つ前記管の前記遠位端部に係合するシールを含む、請求項２に記載の装置。
【請求項４】
前記蓋が前記空気抜き通路を画定し、並びに逆止弁組立体が、前記空気抜き通路内に位置決めされ、且つ前記室からの空気の抜き取りを許容するように構成される、請求項３に記載の装置。
【請求項５】
前記蓋は、前記室から空気を抜き取るためにポンプが前記蓋に接続されることを許容するポンプ接続ポートを含む、請求項２に記載の装置。
【請求項６】
前記陰茎通路部材が、略密封された着脱可能な状態で前記管の近位端部に係合するように構成される取付具と、前記取付具内に位置決めされた陰茎密封機構であって、前記密封機構によって略密封された状態で前記陰茎を係合させることができるように前記陰茎通路を画定する前記陰茎密封機構とを含む、請求項１に記載の装置。
【請求項７】
前記陰茎密封機構が２つのリングを含み、各リングの少なくとも一部分が導電性材料で作られ、導電性リード線が、前記導電性材料に電気刺激信号を供給するために前記導電性材料に接続される、請求項６に記載の装置。
【請求項８】
前記陰茎通路部材が、前記陰茎を刺激するために前記陰茎密封機構内に位置決めされる電気刺激インサートを含み、前記電気刺激インサートが前記導電性材料に導電接触する、請求項６に記載の装置。
【請求項１０】
前記電気刺激インサートが、離間され整合された関係で位置決めされた２つの電気刺激部材を含み、各電気刺激部材は、陰茎が前記電気刺激部材に電気接触するように前記陰茎が貫通して延びることができる通路を画定し、且つ各電気刺激部材がそれぞれのリングの前記導電性材料に接触する、請求項８に記載の装置。
【請求項１１】
電気刺激インサートが、前記陰茎に電気接触するように前記陰茎密封機構内に位置決めされ、前記電気刺激インサートが、電気刺激信号を受信するために電源に接続可能である、請求項６に記載の装置。
【請求項１２】
前記電気刺激インサートが、離間され整合された関係で位置決めされた２つの電気刺激部材を含み、各電気刺激部材は、陰茎が前記電気刺激部材に電気接触するように前記陰茎が貫通して延びることができる通路を画定し、且つ各電気刺激部材が、電源への接続のための電気リード線を含む、請求項１１に記載の装置。
【請求項１３】
各電気刺激部材が、本体の内側面から前記通路内に延びる一連の突出部を備えた前記本体を含み、前記突出部は、前記陰茎が前記通路内に受け入れられたときに前記陰茎に接触するように位置決めされる、請求項１２に記載の装置。
【請求項１４】
各電気刺激部材が、弾性のある可撓性材料で作られる、請求項１３に記載の装置。
【請求項１５】
コネクタが前記電気リード線上に配置され、前記コネクタが、経皮的電気神経刺激機器を前記リード線に接続できるように構成される、請求項１２に記載の装置。
【請求項１６】
前記内部スライダが、環状内側スライドを含み、且つ前記管の前記内側面に摺接するような寸法とされる、請求項１に記載の装置。
【請求項１７】
環状刺激インサートが前記内側スライド上に装着され、前記刺激インサートは、前記陰茎が貫通して延びることができる前記開口部を画定する、請求項１６に記載の装置。
【請求項１８】
前記刺激インサートが、低アレルギー性エラストマー材料などの、往復刺激に好適な材料の形態である、請求項１７に記載の装置。
【請求項１９】
前記内側スライドが、本体内又は上に少なくとも１つの磁石を備えた前記本体を含む、請求項１６に記載の装置。
【請求項２０】
前記外部スライダが、前記管の前記外側面に摺接するような寸法とされた環状外側スライドを含む、請求項１に記載の装置。
【請求項２１】
前記外側スライドが、本体内に少なくとも１つの磁石を備えた前記本体を含む、請求項２０に記載の装置。
【発明の詳細な説明】
【技術分野】
【０００１】
発明の分野
本発明は、刺激治療装置に関する。より詳細には、排他的ではないが、本発明は、個人的刺激並びに勃起不全及び／又は尿失禁の治療に好適である刺激治療装置に関する。
【背景技術】
【０００２】
発明の背景
従来の陰茎ポンプ又は真空ポンプは、陰茎がポンプ室内に位置する間に陰茎を充血させるために使用される。そのような真空ポンプは、真空下にある間のポンプ又は真空室の領域内で使用者が勃起を達成し維持することを可能にする。従来の真空ポンプは、手又は他の装置が陰茎に直接接触できないようにする。したがって、手による刺激は、室の壁によって遮断される。
【０００３】
他の装置は、フィンガ、突起などが管又は室に包含された、シリコーン、ラテックス、ゴム又は他の形態のプラスチック製スリーブを使用して、使用者が陰茎を手で刺激できるようにする。そのような装置に関する問題は、使用者が勃起を達成し維持しなければ、装置の使用が制限されることである。
【０００４】
電気刺激が知られている。しかしながら、勃起する保証はなく、電気刺激中に手で触れることは推奨されない。
【発明の概要】
【課題を解決するための手段】
【０００５】
発明の概要
本発明の一態様によれば、刺激治療装置であって、
一端部が閉鎖され且つ真空室を画定する細長い容器であって、空気抜き通路を通して室から空気を抜き取るためにポンプを容器に接続できるように、真空室と流体連通する空気抜き通路を含む容器と、
容器の近位端部に配置された陰茎通路部材であって、陰茎が貫通して真空室内に延びることができる陰茎通路を画定し、略密封された状態で陰茎に係合するように構成される通路部材と、
容器の内側面に配置され且つ容器内を往復摺動するように構成された内部スライダであって、陰茎が貫通して延びることができる開口部を画定し、且つ内部スライダの往復移動中に陰茎を刺激するために陰茎に接触するように構成される内部スライダと、
容器の外側面に配置され且つ容器の外側に沿って摺動往復移動することが可能な外部スライダと
を備え、
内部スライダ及び外部スライダは、外部スライダの往復操作によって内部スライダの対応する往復摺動が生じるように、互いに磁気的に引き寄せられ、陰茎が刺激されることを可能にする、
刺激治療装置が提供される。
【０００６】
細長い容器は、両端部が開口している管と、遠位端部を閉鎖するために管の遠位端部に着脱可能に装着される蓋とを含み得る。
【０００７】
蓋は、シリコーンなどのエラストマー材料で作られてもよく、且つ管の遠位端部に係合するシールを含み得る。
【０００８】
蓋は、空気抜き通路を画定してもよい。逆止弁組立体は、空気抜き通路内に位置決めされてもよく、且つ室からの空気の抜き取りを許容するように構成されてもよい。
【０００９】
蓋は、室から空気を抜き取るためにポンプが蓋に接続されることを許容するポンプ接続ポートを含み得る。
【００１０】
陰茎通路部材は、略密封された着脱可能な状態で管の近位端部に係合するように構成される取付具と、取付具内に位置決めされた陰茎密封機構であって、密封機構によって略密封された状態で陰茎を係合させることができるように陰茎通路を画定する陰茎密封機構とを含み得る。
【００１１】
陰茎密封機構は２つのリングを含み得、各リングの少なくとも一部分は導電性材料で作られ、導電性リード線は、導電性材料に電気刺激信号を供給するために導電性材料に接続される。
【００１２】
陰茎通路部材は、陰茎を刺激するために陰茎密封機構内に位置決めされる電気刺激インサートであって、導電性材料に導電接触する電気刺激インサートを含み得る。
【００１３】
電気刺激インサートは、離間され整合された関係で位置決めされた２つの電気刺激部材を含み得、各電気刺激部材は、陰茎が電気刺激部材に電気接触するように陰茎が貫通して延びることができる通路を画定し、且つ各電気刺激部材はそれぞれのリングの導電性材料に接触する。
【００１４】
電気刺激インサートは、陰茎に電気接触するように陰茎密封機構内に位置決めされてもよく、電気刺激インサートは、電気刺激信号を受信するために電源に接続可能である。
【００１５】
電気刺激インサートは、離間され整合された関係で位置決めされた２つの電気刺激部材を含み得、各電気刺激部材は、陰茎が電気刺激部材に電気接触するように陰茎が貫通して延びることができる通路を画定し、且つ各電気刺激部材は電源への接続のための電気リード線を含む。
【００１６】
各電気刺激部材は、本体の内側面から通路内に延びる一連の突出部を備えた本体を含み、突出部は、陰茎が通路内に受け入れられたときに陰茎に電気接触するように位置決めされる。
【００１７】
各電気刺激部材は、弾性のある可撓性材料で作られてもよい。
【００１８】
コネクタは、電気リード線上に配置されてもよく、コネクタは、経皮的電気神経刺激機器をリード線に接続できるように構成される。
【００１９】
内部スライダは、環状内側スライドを含み得、且つ管の内側面に摺接するような寸法とされてもよい。
【００２０】
環状刺激インサートは内側スライド上に装着されてもよく、刺激インサートは、陰茎が貫通して延びることができる開口部を画定する。
【００２１】
刺激インサートは、低アレルギー性エラストマー材料などの、往復刺激に好適な材料の形態であってもよい。
【００２２】
内側スライドは、本体内又は上に少なくとも１つの磁石を備えた本体を含み得る。
【００２３】
外部スライダは、管の外側面に摺接するような寸法とされる環状外側スライドを含み得る。外側スライドは、本体内に少なくとも１つの磁石を備えた本体を含み得る。
【００２４】
本発明の別の態様によれば、電気刺激装置、又は部材であって、
陰茎を受け入れるための通路を画定する本体と、
陰茎に導電接触するための本体上又は内の少なくとも１つの陰茎接触形状部であって、導電性材料で作られる少なくとも１つの陰茎接触形状部と
を備え
少なくとも陰茎接触形状部が電気刺激信号に接続可能である、
電気刺激装置、又は部材が提供される。
【図面の簡単な説明】
【００２５】
図面の簡単な説明
【図１】図１は、部分的分解構成にある、本発明による、刺激治療装置の一実施形態の分解側断面図を示す。
【図２】図２は、組立構成にある、図１の実施形態を示す。
【図３】図３は、図１の装置の陰茎通路部材の遠位３次元図を示す。
【図４】図４は、図３の陰茎通路部材の遠位図を示す。
【図５】図５は、図４の陰茎通路部材の概略側断面図を示す。
【図６】図６は、図１の装置の蓋の近位３次元図を示す。
【図７】図７は、図６の蓋の概略側断面を示す。
【図８】図８は、図６の蓋の近位側を示す。
【図９】図９は、図１の装置の内部スライダの３次元図を示す。
【図１０ａ】図１０ａは、図１又は図２の装置の真空管と内部及び外部スライダとの組み立ての種々の段階を示す。
【図１０ｂ】図１０ｂは、図１又は図２の装置の真空管と内部及び外部スライダとの組み立ての種々の段階を示す。
【図１０ｃ】図１０ｃは、図１又は図２の装置の真空管と内部及び外部スライダとの組み立ての種々の段階を示す。
【図１０ｄ】図１０ｄは、図１又は図２の装置の真空管と内部及び外部スライダとの組み立ての種々の段階を示す。
【図１０ｅ】図１０ｅは、図１又は図２の装置の真空管と内部及び外部スライダとの組み立ての種々の段階を示す。
【図１１】図１１は、本発明による、刺激治療装置のさらなる実施形態の、近位端部から見た、３次元図を示す。
【図１２】図１２は、図１１の刺激治療装置の、遠位端部から見た、３次元図を示す。
【図１３】図１３は、分解状態にある図１１の装置の陰茎通路部材と内部及び外部スライダとキャップの遠位３次元図を示す。
【図１４】図１４は、図１１の装置の管の３次元図を示す。
【図１５】図１５は、図１１の装置の内部スライダ用の刺激インサートの３次元図を示す。
【図１６】図１６は、図１１の装置の、電気刺激部材を含む、陰茎通路部材の組付部を示す。
【図１７】図１７は、電気刺激部材なしの、分解構成にある、図１１の装置の陰茎通路部材の遠位３次元図を示す。
【図１８】図１８は、組立構成にある図１７の陰茎通路部材を示す。
【図１９】図１９は、電気刺激部材を示す図１７の陰茎通路部材の一部の遠位３次元図を示す。
【図２０】図２０は、陰茎通路部材の遠位リング内における電気刺激部材の遠位端面図を示す。
【図２１】図２１は、電気刺激部材を含む、図１１の装置の陰茎通路部材の一部の近位端面図を示す。
【図２２】図２２は、図１７の陰茎通路部材の一部の近位端図を示す。
【図２３】図２３は、図２２の陰茎通路部材の一部の遠位端図を示す。
【図２４】図２４は、図２２の組み立てられた陰茎通路部材の概略側断面図を示す。
【図２５】図２５は、図１１の装置の内部スライダの分解図を示す。
【図２６】図２６は、外部スライダと内部スライダと内部スライダ用の刺激インサートとの分解図を示す。
【図２７】図２７は、互いに整合していない外部及び内部スライダを示す。
【図２８】図２８は、互いに整合した外部及び内部スライダを示す。
【図２９】図２９は、刺激治療装置のさらなる実施形態の近位３次元図を示す。
【図３０】図３０は、図２９の装置の遠位３次元図を示す。
【図３１】図３１は、分解構成にある図２９の装置の陰茎通路部材と内部及び外部スライダと蓋との遠位３次元図を示す。
【図３２】図３２は、図２９の装置の管の遠位３次元図を示す。
【図３３】図３３は、図２９の装置の内部スライダ用の刺激インサートの３次元図を示す。
【図３４】図３４は、図２９の装置の概略側断面図を示す。
【図３５】図３５は、図２９の装置の陰茎通路部材の近位３次元分解図を示す。
【図３６】図３６は、図３５の陰茎通路部材の遠位３次元分解図を示す。
【図３７】図３７は、図３５の陰茎通路部材の遠位３次元図を示す。
【図３８】図３８は、本明細書で説明する刺激治療装置のいずれかの実施形態の陰茎通路部材用の電気刺激部材を示す。
【図３９】図３９は、本明細書で説明する刺激治療装置の実施形態のいずれかのための、電気刺激部材を組み込んだ組み立てられた陰茎通路部材の概略側断面図を示す。
【図４０】図４０は、図２９の装置の蓋の遠位３次元図を示す。
【図４１】図４１は、図４０の蓋の近位３次元図を示す。
【図４２】図４２は、本発明による、刺激治療装置のさらなる実施形態の概略側断面図を示す。
【図４３】図４３は、図４２の装置の分解された内部スライダとインサートと外部スライダを示す。
【図４４】図４４は、互いに整合していない図４３の装置の外部及び内部スライダを示す。
【図４５】図４５は、互いに整合した図４３の装置の外部及び内部スライダを示す。
【図４６】図４６は、本発明による、刺激治療装置のさらなる実施形態を示す。
【発明を実施するための形態】
【００２６】
詳細な説明
図１及び図２では、参照番号１０は、全体として、本発明による、刺激治療装置の一実施形態を表す。装置１０は、陰茎の個人的刺激に若しくは勃起不全及び／又は尿失禁の治療に適している。
【００２７】
装置１０は、真空室１４を画定し且つ一端部が閉鎖される細長い容器１２を含む。容器１２は、両端部が開口している管１６を含む。管１６は、円筒状であり、且つプラスチック材料、ゴム又は金属を含む、多数の材料のうちのいずれか１つで作ることができる。円筒状である代わりに、管１６は、要求に応じて、楕円断面形状又は六角形などの他の多面断面形状を有することができる。管１６の内側面１８は、以下にさらに詳細に説明する、内部スライダとの摺動係合を容易にするために、滑らかである。内側面１８は、凹凸のあるものとすることができ、さもなければ、摺動を容易にするように構成することができる。例えば、内側面１８は、内部スライダとの摩擦接触を低減する隆起部又は他の形状部を画定することができる。管１６の外側面１９もまた、管１６に対する外部スライダの摺動変位を容易にするために、滑らかである。しかしながら、外側面１９もまた、技術的及び商業的要求に応じて、凹凸のあるものとすることができる。内側面１８と同様に、外側面１９もまた、外部スライダとの摩擦接触を低減する隆起部又は他の形状部を画定することができる。外側面１９はまた、審美的に心地良いように構成することもできる。管１６は、透明又は不透明とすることができ、色付きとすることもできる。
【００２８】
蓋２２は、密封された状態で遠位端部２０に係合するように管１６の遠位端部２０に装着される。蓋２２は、シリコーンなどの、エラストマー材料のキャップ２４を含む。キャップ２４は、ラテックス、ゴム又は異なるプラスチック材料を含む、他の好適な材料で作ることができる。
【００２９】
蓋２２は、容器１２の一部を形成し、したがって、容器を閉鎖できることを認識されたい。
【００３０】
キャップ２４のさらなる詳細は、図６〜図８に示されている。キャップ２４は、ドーム状外形又は部分球状外形を有する。遠位側の周縁密封形状部２６は、キャップ２４から延び、且つ着脱可能な密封された状態で管１６の遠位端部２０に係合するような形状とされる。この目的のために、密封形状部２６は、周溝２８を画定する。溝２８は、遠位端部２０を溝２８内に受け入れることができるような寸法とされる。リップ３０は、溝２８の内壁３１から遠位側に且つ溝２８内に延びる。したがって、室１４内で真空が生成されたときに、リップ３０に径方向圧力が加わり、リップ３０を管１６の外側面１９に当接させ、管１６に対するキャップ２４の密封係合を強化する結果として、空気の流入が阻止される。
【００３１】
キャップ２４は、真空室１４と流体連通する空気抜き通路３２を画定する。逆止弁組立体３４は、逆流防止状態で、室１４から空気を抜き取ることができるように、通路３２内に配置される。
【００３２】
バッフル３６は、キャップ２４の壁３８の内面から延びる。バッフル３６は、弁組立体３４が内部に位置する中央受け部４２を画定する。キャップ２４は、弁組立体３４と流体連通する真空ポンプ接続ポート４０を画定する。中央受け部４２は、接続ポート４０と弁組立体３４と中央受け部４２とが空気抜き通路３２を形成するように、室１４内に開口する。現在の陰茎ポンプと共に使用されるタイプの従来の真空ポンプに接続ポート４０を接続することができる。そのような真空ポンプは、手動で動作させることができるか、又は使用者によって遠隔で動作させる電気ポンプとすることができる。キャップ２４がバッフル３６なしに提供され得ることを認識されるであろう。
【００３３】
弁組立体３４は、中央受け部４２内に着座する逆止弁３５を含む。逆止弁３５は、空気が通り抜けることができる弁通路４１を画定する弁体３７を含む。弁閉鎖部３９は、室１４から空気が抜き取られるときに開放し且つ室１４内への空気の流入を防ぐために閉鎖するように、弁体３７に枢動可能に装着される。弁体３７及び弁閉鎖部３９は、一体成形品とすることができる。成形品は、エラストマー材料、又は他の何らかの好適な材料で作ることができる。
【００３４】
バッフル３６はまた、必要に応じて、精液及び尿を収集するための、流体収集用受け部４３を画定する。
【００３５】
陰茎開口組立体４４の形態の陰茎通路部材は、管１６の近位端部４６に装着される。開口組立体４４は、略気密状態で陰茎に係合するように構成される。陰茎開口組立体４４のさらなる詳細は、図３〜図５に示されている。
【００３６】
開口組立体４４は、取付具４８を含む。取付具４８は、シリコーンなどの、エラストマー材料で作ることができる。取付具４８は、通路５０を画定する壁５２を有する。周縁密封形状部５４は、壁５２に配置され、且つ着脱可能な密封された状態で管１６の近位端部４６に係合するような形状とされる。壁５２は、管１６の近位端部４６を内部に受け入れることができる周溝５６を画定する。リップ５８は、溝５４の内壁から遠位側に且つ溝５６内に延びる。したがって、室１４内で真空が生成されたときに、リップ５８に径方向圧力が加わる結果として、空気の流入が阻止される。
【００３７】
壁５２は、内向きに開口した環状凹部又は溝６０を画定する。陰茎密封機構６２は、溝６０内に配置され、且つ略密封された状態で陰茎に係合するように構成される。密封機構６２は、低アレルギー性エラストマー材料の１つ又は複数のリングを含む。１つ又は複数のリングは、低アレルギー性の導電性エラストマー材料の少なくとも１つのリングを含むことができる。より詳細には、１つ又は複数のリングは、密封リング６９が遠位リング６４と近位リング６６との間に介在する状態の、導電性遠位リング６４と導電性近位リング６６を含むことができる。エラストマー材料は、ラテックス又は他の何らかの好適な材料の形態とすることができる。リング６４、６６は導電性シリコーンから作製することができる。
【００３８】
代替的に、リング６４、６６は、金属を含む、他の導電性材料で作製することができる。溝６０は、個々の要求に応じて異なる大きさのリング６４、６６を使用することを可能にするような寸法とすることができる。リング６４、６６は、種々の内部構成を有することができる。各リング６４、６６は、電気刺激部材であり、且つ例えば、以下に説明するいずれかの電気刺激部材の形態をとることができる。
【００３９】
導線６８は、導電性挿入物６５を介して、リング６４、６６の各々に、且つ電気コネクタ７０に接続することができる。電気コネクタ７０は、ＴＥＮＳ（経皮的電気神経刺激）機器などの、電気刺激装置に接続することができる。したがって、リング６４、６６は、電気刺激インサート６１を形成することができる。従来、ＴＥＮＳ機器は、痛みを治療するために使用されており、通常は、２つ以上の電極を使用して皮膚に接続される。典型的な電池式ＴＥＮＳユニットは、パルス幅、周波数及び強度を変調することができる。したがって、この実施形態では、ＴＥＮＳユニットの電気刺激構成要素は、陰茎開口組立体４４に組み込まれる。電気刺激構成要素は装置１０の他の構成要素に取り付けできることが想定される。したがって、ＴＥＮＳユニットは、適切な刺激信号を提供するように調整可能である従来のＴＥＮＳユニットとすることができる。
【００４０】
リング６４、６６及び密封リング６９は、陰茎が内部に延びることができる陰茎通路６７を画定する。リング６４、６６及び密封リング６９の寸法及び材料は、通路が異なる大きさの陰茎を収容できるように選択することができる。
【００４１】
装置１０は、容器１２の内側面１８に配置され且つ容器１２内を往復摺動するように構成される内部スライダ８０を含む。内部スライダ８０は、陰茎が貫通して延びることができる開口部８２を画定する。内部スライダ８０は、内部スライダ８０の往復移動によって陰茎を刺激できるように陰茎に摺接するように構成される。
【００４２】
装置１０は、容器１２の外側面１９に配置され且つ外側面１９上を往復摺動するように構成される外部スライダ８４を含む。
【００４３】
内部スライダ８０及び外部スライダ８４は、外部スライダ８４の往復操作によって内部スライダ８０の対応する往復摺動が生じるように、互いに磁気的に引き寄せられ、陰茎が刺激されることを可能にする。
【００４４】
図１及び図２に加えて、内部スライダ８０のさらなる詳細は、図９で確認することができる。内部スライダ８０は、環状内側スライド８６を含む。スライド８６は、環状本体８８を含む。本体８８は、比較的硬質のプラスチック材料、又は非金属である他の何らかの好適な材料で作ることができる。多数の磁石９０を本体８８内に埋め込むか又は装着することができる。磁石９０は、希土類磁石又はネオジム磁石とすることができる。別個の磁石の代わりに、本体８８は、磁化材料で作ることができる。種々の形状の磁性材料を製造することが可能であるので、種々の他の形態の磁気配列が想定される。
【００４５】
刺激インサート９２は、スライド８６内に装着される。インサート９２は、皮膚接触に好適な低アレルギー性エラストマー材料で作られる。材料は、例えば、シリコーン又はラテックスとすることができる。インサート９２は、陰茎が貫通して延びることができる開口部８２を画定する。インサート９２は、刺激する状態で陰茎に係合するように内側面９４から延びる複数の刺激形状部９６を備えた内側面９４を有することができる。形状部９６は、種々の構成をとることができる。
【００４６】
インサート９２は、スライド８６を内部に受け入れることができる外部環状凹部９８を画定する。したがって、使用時に、インサート９２を取り外して交換することができる。
【００４７】
外部スライダ８４は、環状本体１００を含む。本体１００は、比較的硬質のプラスチック材料、又は非金属である他の何らかの好適な材料で作ることができる。多数の磁石１０２を本体１００内に埋め込むか又は装着することができる。磁石１０２は、希土類磁石又はネオジム磁石とすることができる。磁石９０及び磁石１０２は、反対の極性を有して磁石９０と磁石１０２とが互いに引き寄せ合うように配置することができる。別個の磁石の代わりに、本体１００は、磁化材料で作ることができる。種々の形状の磁性材料を製造することが可能であるので、種々の他の形態の磁気配列が想定される。
【００４８】
図１１及び図１２では、参照番号２００は、全体として、本発明による、刺激治療装置の一実施形態を表す。
【００４９】
装置２００は、真空室２０４を画定する細長い容器２０２を含む。容器２０２は、両端部が開口している管２０６を含む。管２０６は、円筒状であり、且つプラスチック材料、ゴム又は金属を含む、多数の材料のうちのいずれか１つで作ることができる。円筒状である代わりに、管２０６は、要求に応じて、楕円断面形状又は六角形などの他の何らかの多面断面形状を有することができる。管２０６の内側面２０８は、以下にさらに詳細に説明する、内部スライダとの摺動係合を容易にするために、滑らかである。内側面２０８はまた、凹凸のあるものとするか、さもなければ、内側面２０８に対する内部スライダの摺動を容易にするように構成することができる。例えば、内側面２０８は、内側面２０８と内部スライダとの摩擦接触を最小限に抑えるために、隆起部又は他の形状部を画定することができる。管２０６の外側面２１０もまた、管２０６に対する外部スライダの摺動変位を容易にするために、滑らかである。しかしながら、外側面２１０もまた、技術的及び商業的要求に応じて、凹凸のあるものとすることができる。外側面２１０はまた、外側面２１０と外部スライダとの摩擦接触を最小限に抑えるために、隆起部又は他の形状部を画定することができる。
【００５０】
蓋２１２は、密封された状態で遠位端部２１４に係合するように管２０６の遠位端部２１４に装着される。蓋２１２は、シリコーンなどの、エラストマー材料で作られる。蓋２１２は、ラテックス、ゴム又は異なるプラスチック材料を含む、他の好適な材料で作ることができる。蓋２１２は、上で説明した蓋２２と同様とすることができる。
【００５１】
陰茎開口組立体２１６の形態の陰茎通路部材は、管２０６の近位端部２１８に装着される。陰茎開口組立体２１６は、略密封された状態で陰茎に係合するように構成される。陰茎開口組立体２１６は、管２０６の近位端部２１８に係合する端部取付具２２０を含む。端部取付具２２０は、側壁２２２を含む。側壁２２２は、外壁部分２２６と、滑り嵌めとして、管２０６の近位端部２１８を受け入れるように、壁部分２２６、２２８間に、遠位側に開口した溝２２４を画定するために外壁部分から離間して配置された、内壁部分２２８とを含む。
【００５２】
内壁部分２２８は、近位側に面する溝２３１（図２４）を画定する遠位端部分２３０を有する。
【００５３】
端部取付具２２０は、開口２３４を画定する底部２３２を有する。
【００５４】
端部取付具２２０は、弾性のある可撓性材料で作られる。例えば、端部取付具２２０は、エラストマー材料で作られる。より詳細には、端部取付具２２０は、低アレルギー性エラストマー材料で作ることができる。
【００５５】
陰茎開口組立体２１６は、取付具２２０内に位置決めされた陰茎密封機構２１７であって、陰茎と密封係合するように構成された開口又は陰茎通路２１９（図１８）を画定する陰茎密封機構２１７を含む。密封機構２１７は、開口２３４内に受け入れられて端部取付具２２０が弾性的に可撓性を有する結果として開口２３４内に保持されるように底部２３２と係合可能である近位側陰茎開口部材２３６を含む。開口部材２３６を適所に接着又は溶着することができる。その目的のために、底部２３２は、近位側陰茎開口部材２３６を受けるための肩部２２１（図２４）を画定する。
【００５６】
図１７には、陰茎開口組立体２１６の分解図が、任意選択である、以下に説明する、電気刺激部材２５４のなしに示されている。
【００５７】
内壁部分２２８は、環状凹部２３８を画定する。近位側陰茎開口部材２３６は、内壁部分２２８内に受け入れられる。
【００５８】
組立体２１６は、近位リング２４２をさらに含む。近位リング２４２は、凹部２３８内に位置決めされる。近位リング２４２は、比較的硬質のプラスチック材料で作られる。近位リング２４２は、近位側導電性部分２４３と遠位側非導電性部分２４５とを有する。
【００５９】
近位側電気刺激装置又は部材２５４．１（図２４）は、近位リング２４２内に位置決めされ、且つ近位リング２４２の導電性部分２４３に導電当接する。
【００６０】
組立体２１６はまた、内壁部分２２８内に受け入れられる遠位リング２４６を含む。遠位リング２４６の近位端部は、遠位密封リング２４６を近位密封リング２４２と入れ子状に係合させることができるように内向き段状領域２５２を画定する。
【００６１】
遠位リング２４６の遠位端部は、近位側導電性インサート２５４．１が陰茎開口部材２３６、２４０間に介在するように遠位側陰茎開口部材２４０が内壁部分２２８内に位置決めされる肩部を画定するように、外向き段状とされる。遠位側陰茎開口部材２４０を適所に接着、溶着又は圧入することができる。
【００６２】
陰茎開口部材２３６、２４０は、環状円板状構成である。部材２３６、２４０は、開口２３７、２４１をそれぞれ画定する。開口２３７、２４１は、開口２３７、２４１を陰茎に密封係合させることができるような寸法とされ、開口２３７、２４１を陰茎に密封係合させることができるように、部材２３６、２４０の材料が選択される。より詳細には、材料は、異なる大きさの陰茎を収容するように弾性的に可撓性を有するように選択される。材料は、好適な低アレルギー性エラストマー材料とすることができる。そのような材料の例は、低アレルギー性シリコーンである。図面で分かるように、部材２３６、２４０の構造的完全性及び安定性は、部材２３６が取付具２２０内に位置決めされる結果として、並びに部材２３６と近位リング２４２及び遠位リング２４６との関係の結果として維持される。これによって、電気刺激部材なしでの装置２００の使用が可能となる。代替的に、必要でないときには、電気刺激部材を簡単に外すことができる。
【００６３】
遠位リング２４６の遠位縁部は、遠位リング２４６を取付具２２０内に配置するために、近位側に面する溝２３１内に位置決めされる。
【００６４】
遠位リング２４６はまた、比較的硬質のプラスチック材料で作られる。遠位リング２４６は、近位側非導電性部分２４７と、遠位側導電性部分２４９とを有する。
【００６５】
近位側電気刺激部材２５４．１は、近位リング２４２（図２４）の導電性部分２４３に導電接触するように、内壁部分２２８内に位置決めされる。遠位側電気刺激部材２５３は、遠位リング２４６の導電性部分２４９に導電接触するように、内壁部分２２８内に位置決めされる。したがって、近位側電気刺激部材２５４．１及び遠位側電気刺激部材２５４．２は、陰茎開口組立体２１６用の電気刺激インサート２５５を形成する。
【００６６】
導電性コネクタ２５７は、外壁部分２２６内に位置決めされる。導電性コネクタ２５７は、上で言及したＴＥＮＳ機器に接続するように構成することができる。好適な導線２５９は、コネクタ２５７とそれぞれの電気刺激部材２５４．１、２５４．２とを相互接続することができる。したがって、以下により詳細に説明する経皮的電気神経刺激（ＴＥＮＳ）機器を用いて、好適な刺激信号を電気刺激部材２５４．１、２５４．２に提供することができる。
【００６７】
電気刺激部材２５４．１、２５４．２は、導電性シリコーンで作られる。電気刺激部材２５４．１、２５４．２は、非導電性シリコーン層で外側面が被覆された環状本体２５６を有する。一連のフィンガ又はリブ２５８は、本体２５６の内側面から径方向内方に突出する。本体２５６は、リブ２５８によって陰茎を刺激できるように、陰茎が貫通して延びることができる通路２６１を画定する。他の好適な材料は、電気刺激部材に適したものであってもよい。例えば、他の導電性の低アレルギー性材料が好適であり得る。
【００６８】
加えて、フィンガ又はリブ２５８の代わりに、他の形態の突出部が本体２５６の内側面から延びることができる。
【００６９】
電気刺激部材２５４又はその等価物を本明細書で説明する刺激治療装置に別個に供給できることが想定される。
【００７０】
したがって、電気刺激部材は、本明細書で言及するＴＥＮＳ機器などの好適な機器に電気刺激部材を接続するだけで、装置とは別個に使用することができる。
【００７１】
その場合、環状本体２５６は、他の形態をとることができる。例えば、環状本体２５６は、陰茎上の位置に好適であり得るトロイダル形状又は他の任意の形状を有することができる。
【００７２】
遠位リング２４６と電気刺激部材２５４．２とを含む、図１９に示す構成要素は、同様の形状を有する一体の電気刺激部材と交換可能である。この場合、電気刺激部材は、略全体を導電性材料で作ることができ、且つ電気刺激部材２５４．１と代替的な電気刺激部材との短絡を避けるために、非導電性材料の好適なシールによって、電気刺激部材２５４．１から分離することができる。
【００７３】
刺激治療装置２００は、内部スライダ２７６を含み、その詳細は、図２５〜図２８に示されている。内部スライダ２７６は、環状内側スライド２７８を含む。スライド２７８は、環状本体２８０を含む。本体２８０は、比較的硬質のプラスチック材料、又は非金属である他の何らかの好適な材料で作ることができる。本体２８０は、長手方向に延びる複数のソケット２８２を画定する。ソケット２８２は、本体２８０の周囲に等間隔に配置される。細長い磁石２８４は各ソケット２８２内に位置決めされる。環状端部蓋２８６は、ソケット２８２を閉鎖して磁石２８４をソケット２８２内に保持するために蓋２８６を本体２８２に嵌めることができるように、一連の突出部２８８を有する。内部スライダ２７６の他の形態の磁化が適切であることが想定される。例えば、磁石２８４は、スライダ２７６内に永久的に埋め込まれてもよい。
【００７４】
代替的に、本体２８０自体が磁化されてもよい。
【００７５】
磁石２８４は希土類磁石であってもよい。磁石２８４はネオジムで作られてもよい。
【００７６】
装置２００は、スライド２７８内に装着される刺激インサート２９０を含む。インサート２９０は、弾性のある可撓性材料で作られる。材料は、皮膚接触に好適な低アレルギー性エラストマー材料とすることができる。材料は、例えば、シリコーン又はラテックスとすることができる。インサート２９０は、陰茎が貫通して延びることができる開口部又は通路２９２を画定する。
【００７７】
インサート２９０は、スライダ２７６を管２０６内で往復移動させたときに刺激する状態で陰茎に係合するように通路２９２内に延びる複数の刺激形状部２９６を備えた内側面２９４を有する。形状部２９６は、種々の形態をとることができる。これらの形状部２９６は、フィンから小さなこぶまで様々なものとすることができる。
【００７８】
インサート２９０は、スライド２７８を内部に受け入れることができる環状凹部２９８を画定する。部材２９０のエラストマー性によって、凹部２９８内のインサート２９０の取り外し及び交換が可能となる。
【００７９】
図２７及び図２８で分かるように、内側スライド２７８は、刺激インサート２９０よりも突き出ている。内側スライド２７８は、摺動する状態で管２０６の内側面２０８に係合するような寸法とされる。したがって、刺激インサート２９０は、管２０６に対する内側スライダ２７８の摺動を妨げないように、内側面２０８から離間されたまま保たれる。
【００８０】
装置２００は、外部スライダ３００を含む。外部スライダ３００は、環状本体３０２を含む。本体３０２は、比較的硬質のプラスチック材料、又は非金属である他の何らかの好適な材料で作ることができる。本体３０２は、長手方向に延びる複数のソケット３０４を画定する。ソケット３０４は、本体３０２の周囲に等間隔に配置される。細長い磁石３０３（図１３）は各ソケット３０４内に位置決めされる。端部蓋２８６と同様の環状端部蓋３０５は、磁石３０３をソケット３０４内に保持するために蓋３０５を本体３０２に嵌めることができるように、一連の突出部を有することができる。
【００８１】
本体３０２は、内面３０６が管２０６の外面と摺動係合するように構成されるような寸法とされる。外面には、好適には、そのような摺動移動に対応するように凹凸がある。
【００８２】
スライダ３００の外面３０８は、スライダ３００の把持を容易にするために、一連のリブ又は突出部３１０を有する。代わりに、外面３０８は、把持を容易にするように凹凸のあるものとするか、又は把持を容易にするような外形を有するものとすることができる。内部スライダ２７６内の磁石２８４は、外部スライダ３００内の磁石に対してスライダ２７６、３００が互いに引き寄せられるような向きに配置される。したがって、使用者による外部スライダ３００の往復移動によって、対応する内部スライダの往復移動が生じる。結果として、使用者は、陰茎が通路２９２内に受け入れられたときに自己刺激することができる。
【００８３】
図２９及び図３０では、参照番号３２０は、全体として、本発明による、刺激治療装置のさらなる実施形態を表す。前述の図面を参照すると、別段の定めのない限り、類似の参照番号は、類似の部分を指す。
【００８４】
装置３２０は、装置２００の開口組立体２１６とは若干異なる陰茎開口組立体３２２の形態の陰茎通路部材を含む。
【００８５】
開口組立体３２２は、端部取付具３２４を含む。端部取付具３２４は、底部３２８から周方向に延びる側壁３２６（図３４）を含む。底部３２８は、周縁凹部３３０を形成する。周縁リップ３３２は、側壁３２６の遠位端部から径方向内方に延びる。環状密封リング３３４は、側壁３２６内に位置し、且つ周縁凹部３３０内に着座する。環状密封リングは、内壁部分３３６と外壁部分３３８とを含み、その結果、溝３４０が壁部分３３６、３３８間に画定される。
【００８６】
端部キャップ３４２は、陰茎開口３４６を画定する端板３４４を含む。端板３４４は、陰茎開口部材２３６、２４０と同様の構成を有する。
【００８７】
筒壁３４８は、端板３４４から垂下し、且つ密封リング３３４の内壁部分３３６内に受け入れられる。端板３４４は、壁部分３３６の上に張り出す。構成要素が組み付けられたときに、リップ３３２の内周縁及び端板３４４の外周縁が溝３４０と位置合わせされる。管２０６の近位端部を溝３４０内に圧入することができる。
【００８８】
図３８には、陰茎開口組立体３２２用の電気刺激部材３５０が示されている。電気刺激部材３５０は、導電性シリコーンで作られる。部材３５０は、非導電性シリコーン層で外側面が被覆された環状本体３５２を有する。一連のフィンガ又はリブ３５４は、本体３５２の内側面から径方向内方に延びる。本体３５０は、リブ３５４によって陰茎を刺激できるように、陰茎が貫通して延びることができる通路３５３を画定する。他の好適な材料は、電気刺激部材に適したものであってもよい。例えば、他の導電性の低アレルギー性材料が好適であり得る。加えて、フィンガ又はリブ３５４の代わりに、他の形態の突出部が本体３５２の内側面から延びることができる。
【００８９】
細長い電気リード線３５６は、本体３５２から延びる。リード線３５６はまた、導電性材料、この例では、導電性シリコーンで作られる。リード線３５６は、非導電性シリコーン層で被覆される。リード線３５６は電気コネクタ３５８を含む。電気コネクタ３５８は、リブ３５４に電気刺激インパルスを供給するためにＴＥＮＳ機器からのリード線をリード線３５６に接続できるように構成される。
【００９０】
電気刺激部材３５０又はその等価物を本明細書で説明する刺激治療装置に別個に２つ１組で供給できることが想定される。したがって、電気刺激部材は、本明細書で言及するＴＥＮＳ機器などの好適な機器に電気刺激部材を接続するだけで、装置とは別個に使用することができる。
【００９１】
図３１で確認できるように、電気刺激部材３５０は、壁３４８内に位置し、且つ底部３２８と端部キャップ３４２との間に介在することができる。部材が機能するために２つの電気刺激部材３５０が存在することが認識されるであろう。これらの電気刺激部材３５０を、例えば、本明細書で説明するタイプの、陰茎開口部材によって分離することができる。したがって、電気刺激部材３５０は、陰茎開口組立体３２２用の電気刺激インサートを形成することができる。
【００９２】
装置２００、３２０のいずれかにおいて電気刺激部材３５０は電気刺激部材２５４と交換可能であることは容易に認識されるであろう。例えば、図３９で分かるように、近位側電気刺激部材２５４．１は底部３２８上に位置決めされ、且つ近位側陰茎開口部材３６０は部材２５４．１上に位置決めされる。遠位側電気刺激部材２５４．２は、近位側陰茎開口部材３６０上に位置決めされる。遠位側陰茎開口部材３６２は、遠位側電気刺激部材２５４．２上に位置決めされる。開口部材３６０、３６２は、開口部材２３６、２３８と同様である。この図面に示すように、参照番号３５６は、リード線を破線で表して、電気刺激部材２５４を電気刺激部材３５０に置き換えることができることを表している。図３９に示すように、他の形態の電気刺激部材を陰茎密封機構２２３内に位置決めできることは容易に認識されるであろう。
【００９３】
装置３２０の蓋３７０は、図４０及び図４１に示されている。蓋３７０は、管２０６の遠位端部に圧入できる弾性のある可撓性材料のキャップ３７２を含む。その目的のために、キャップ３７２の縁部は、管２０６の遠位端部と係合させることができる肩部３７４を画定する。
【００９４】
真空ポンプ接続ポート３７４は、キャップ３７２内に配置され、且つ管２０６から空気を抜き取ることができるように、密封された状態で、真空ポンプの導管に係合するように構成される。
【００９５】
図４２では、参照番号３８０は、全体として、本発明による、刺激治療装置のさらなる実施形態を表す。前述の図面を参照すると、別段の定めのない限り、類似の参照番号は、類似の部分を指す。
【００９６】
装置３８０は、特に膣刺激に適している。装置３８０は、刺激インサート３８２を含む。刺激インサート３８２は、エラストマー材料などの、弾性のある可撓性材料の筒状本体３８４を含む。筒状本体３８４は、環状凹部３８６を画定する。内側スライド２７８は、外部スライダ３００の往復移動によって刺激インサート３８２の往復移動が生じるように、凹部３８６内に位置決めすることができる。刺激インサート３８２は、筒状本体３８４から垂下する細長い刺激部材３８８を含む。部材３８８は、外部スライダ３００が往復駆動又は操作されるときに部材３８８が陰茎開口組立体３２２の内外へ往復移動できるように構成される。
【００９７】
刺激部材３８８は、任意の数の構成をとることができる。さらに、装置３８０には、要求に応じて交換可能である種々の刺激インサート３８２を設けることができる。
【００９８】
図４６では、参照番号４００は、全体として、本発明による、刺激治療装置の別の実施形態を表す。前述の図面を参照すると、別段の定めのない限り、類似の参照番号は、類似の部分を指す。
【００９９】
装置４００は、陰茎開口組立体４０２の形態の陰茎通路部材を含む。開口部材４０２は、室１４と流体連通し且つ略気密状態で陰茎に係合するように構成された通路４０４を画定する。
【０１００】
開口部材４０２は、取付具４０６を含む。取付具４０６は、シリコーン又はラテックスなどのエラストマー材料で作ることができる。取付具４０６は、通路４０４を画定する壁４０８を有する。周縁密封形状部４１２は、壁４０８に配置され、且つ着脱可能な密封された状態で管１６の近位端部４６に係合するような形状とされる。壁４０８は、管１６の近位端部４６を内部に受け入れることができる周溝４１４を画定する。
【０１０１】
通路４０４は、壁４０８の内部筒状部分４１６によって画定される。一連の環状密封部材４１６は、壁４０８の内面４１８から突出する。密封部材４１６は、通路４１０内に近位側に突出するリブ又はリップ４２０の形態である。リップ４２０はテーパ状とすることができる。したがって、陰茎が通路４１０内にあるときには、リップ４２０に径方向圧力が加わる結果として、室１４内への空気の流入が阻止される。
【０１０２】
上で説明した刺激治療装置の種々の実施形態の構成要素は、洗浄及び／又は交換のために手で容易に分解することができる。さらに、実用的であれば、上で説明した刺激治療装置の種々の実施形態の構成要素を実施形態間で容易に交換可能であることを認識されたい。
【０１０３】
上で説明した種々の実施形態の刺激治療装置は、陰茎刺激に及び勃起不全の治療に適している。装置は、外部スライダの往復移動によって陰茎が刺激されている間に勃起を維持することができる。その結果、装置は、室内が真空である結果として陰茎が勃起状態に維持されている間に使用者が自慰をすることができる手段を提供する。周知のように、勃起不全を治療する治療法は、陰茎を繰り返し充血させることを必要とする。しかしながら、何らかの刺激がなければ、勃起は人為的になされる。使用者が自己刺激することを可能にすることで、装置は、勃起を維持しながら使用者に射精させ及び／又はオルガスムを経験させることができる。この装置は、最終的には、装置を必要とせずに、勃起とその後の射精及び／又はオルガスムとを達成するために使用者の射精システムを鍛えるのに役立つことができる。
【０１０４】
この装置を繰り返し使用することで、骨盤底筋を強化することができる。この装置は排尿調節を治療するのに役立つことができる。
【０１０５】
勃起不全は、生活要因と、前立腺の部分的又は完全な摘出などの医療処置とを含む、種々の要因によって起こり得る。他の要因は、本質的に心理学的又は神経学的要因である可能性がある。装置は、使用者が勃起を達成し、さらに、その後に射精し及び／又はオルガスムを経験するのを手助けすることができる。この手助けは、繰り返し実行されることで、勃起不全の原因によっては勃起不全に有効な治療法となる可能性がある。さらに、これは、自然に勃起することを達成できない使用者にとって有効な発散となり得る。
【０１０６】
添付の特許請求の範囲は、上の説明に組み込まれるものとして考えられるべきである。
【０１０７】
本明細書全体を通しての共通の参照番号の使用は、限定するように意図されておらず、単に説明を明瞭且つ容易にする目的のために過ぎない。
【０１０８】
特許請求の範囲を含む本明細書全体を通して、文脈が許す限り、用語「備えている（ｃｏｍｐｒｉｓｉｎｇ）」及びその変化形「備える（ｃｏｍｐｒｉｓｅ）」又は「備える（ｃｏｍｐｒｉｓｅｓ）」は、他の任意の整数を必ずしも排除するものではなく、記載された１つ又は複数の整数を含むものと解釈されるべきである。
【０１０９】
本明細書では、「遠位」という用語は、使用者のより近傍である「近位」の向きと比較して、使用者から離れる方向である向きを指す。「前方」、「後方」、「背後」などの、方向又は向きを表す用語が、便宜上使用される。本発明者は、販売のために提示される場合などに、種々の実施形態を非動作構成で使用できることを想定している。しがって、そのような用語は、本質的に例示的なものと見なされ、且つ非限定的なものと見なされるべきである。
【０１１０】
上で用いた専門用語は、説明のためのものであって、限定するものと見なされるべきではないことを理解されたい。説明した実施形態は、本発明の範囲を限定するものではなく、本発明を例示するように意図されている。本発明は、当業者に容易に想起されるような種々の修正及び追加を伴って実施することが可能である。
【図１】
2021524780.tif 000003
【図２】
2021524780.tif 000004
【図３】
2021524780.tif 000005
【図４】
2021524780.tif 000006
【図５】
2021524780.tif 000007
【図６】
2021524780.tif 000008
【図７】
2021524780.tif 000009
【図８】
2021524780.tif 000010
【図９】
2021524780.tif 000011
【図１０ａ】
2021524780.tif 000012
【図１０ｂ】
2021524780.tif 000013
【図１０ｃ】
2021524780.tif 000014
【図１０ｄ】
2021524780.tif 000015
【図１０ｅ】
2021524780.tif 000016
【図１１】
2021524780.tif 000017
【図１２】
2021524780.tif 000018
【図１３】
2021524780.tif 000019
【図１４】
2021524780.tif 000020
【図１５】
2021524780.tif 000021
【図１６】
2021524780.tif 000022
【図１７】
2021524780.tif 000023
【図１８】
2021524780.tif 000024
【図１９】
2021524780.tif 000025
【図２０】
2021524780.tif 000026
【図２１】
2021524780.tif 000027
【図２２】
2021524780.tif 000028
【図２３】
2021524780.tif 000029
【図２４】
2021524780.tif 000030
【図２５】
2021524780.tif 000031
【図２６】
2021524780.tif 000032
【図２７】
2021524780.tif 000033
【図２８】
2021524780.tif 000034
【図２９】
2021524780.tif 000035
【図３０】
2021524780.tif 000036
【図３１】
2021524780.tif 000037
【図３２】
2021524780.tif 000038
【図３３】
2021524780.tif 000039
【図３４】
2021524780.tif 000040
【図３５】
2021524780.tif 000041
【図３６】
2021524780.tif 000042
【図３７】
2021524780.tif 000043
【図３８】
2021524780.tif 000044
【図３９】
2021524780.tif 000045
【図４０】
2021524780.tif 000046
【図４１】
2021524780.tif 000047
【図４２】
2021524780.tif 000048
【図４３】
2021524780.tif 000049
【図４４】
2021524780.tif 000050
【図４５】
2021524780.tif 000051
【図４６】
2021524780.tif 000052
【国際調査報告】
2021524780.tif 000053
2021524780.tif 000054
2021524780.tif 000055
2021524780.tif 000056